(57)【要約】【課題】画像形成装置の印刷時の機能に関するドライバソフトのデフォルト設定を容易に行なうことができるドライバソフトの設定方法及びインストール方法、並びに、画像形成装置を提供する。【解決手段】複合機に記憶されているデフォルト設定情報を要求するための要求信号を、クライアントから複合機に送信する（ステップＳ１０１）。クライアントは、複合機からデフォルト設定情報を受信し（ステップＳ１０２）、当該デフォルト設定情報に基づいて、複合機の印刷時の機能に関するドライバソフトのデフォルト設定を行なう（ステップＳ１０３〜Ｓ１０８）。これにより、例えば複数のクライアントが共通の複合機に接続されている場合であっても、各クライアントをそれぞれ操作してデフォルト設定を変更する必要がないため、複合機の印刷時の機能に関するドライバソフトのデフォルト設定を容易に行なうことができる。【選択図】  図４
2012174040.tif 000002
【特許請求の範囲】
【請求項１】
画像形成装置に接続されたクライアントに対して、前記画像形成装置を動作させるためのドライバソフトの設定を行なう方法であって、
前記クライアントが、前記画像形成装置に記憶されているデフォルト設定情報を要求するための要求信号を前記画像形成装置に送信する要求信号送信ステップと、
前記要求信号を受信した前記画像形成装置が、当該画像形成装置に記憶されているデフォルト設定情報を前記クライアントに送信する設定情報送信ステップと、
前記クライアントが、受信した前記デフォルト設定情報に基づいて、前記画像形成装置の印刷時の機能に関する前記ドライバソフトのデフォルト設定を行なうデフォルト設定ステップとを含むことを特徴とするドライバソフトの設定方法。
【請求項２】
前記要求信号送信ステップは、前記ドライバソフトに備えられたモジュールにより定期的に行なわれることを特徴とする請求項１に記載のドライバソフトの設定方法。
【請求項３】
前記デフォルト設定情報には、前記画像形成装置において使用する記録紙又はトナーの使用量を減少させるための機能に関する情報が含まれることを特徴とする請求項１又は２に記載のドライバソフトの設定方法。
【請求項４】
前記デフォルト設定情報には、前記画像形成装置において記録紙の両面に印刷を行なう両面印刷機能の情報が含まれることを特徴とする請求項３に記載のドライバソフトの設定方法。
【請求項５】
前記クライアントが、受信した前記デフォルト設定情報に前記両面印刷機能の情報が含まれるか否かを判定する両面印刷判定ステップと、
前記クライアントが、前記画像形成装置において裏紙を記録紙として使用する設定がされているか否かを判定する裏紙設定判定ステップとを含み、
前記クライアントが受信した前記デフォルト設定情報に前記両面印刷機能の情報が含まれ、かつ、前記画像形成装置において裏紙を記録紙として使用する設定がされている場合には、前記デフォルト設定ステップにおいて、前記両面印刷機能に関する前記ドライバソフトのデフォルト設定は行なわれないことを特徴とする請求項４に記載のドライバソフトの設定方法。
【請求項６】
画像形成装置に接続されたクライアントに対して、前記画像形成装置を動作させるためのドライバソフトをインストールする方法であって、
前記クライアントが、前記画像形成装置の指定を受け付ける指定受付ステップと、
前記クライアントが、指定された前記画像形成装置に記憶されているデフォルト設定情報を要求するための要求信号を前記画像形成装置に送信する要求信号送信ステップと、
前記要求信号を受信した前記画像形成装置が、当該画像形成装置に記憶されているデフォルト設定情報を前記クライアントに送信する設定情報送信ステップと、
前記クライアントが、受信した前記デフォルト設定情報に基づいて、前記画像形成装置の印刷時の機能に関する前記ドライバソフトのデフォルト設定を行なうデフォルト設定ステップとを含むことを特徴とするドライバソフトのインストール方法。
【請求項７】
クライアントに接続される画像形成装置であって、
前記画像形成装置を動作させるためのドライバソフトのデフォルト設定を前記クライアントにおいて行なうための情報として、前記画像形成装置の印刷時の機能に関するデフォルト設定情報を記憶する設定情報記憶部と、
前記クライアントから、前記デフォルト設定情報を要求するための要求信号を受信した場合に、前記設定情報記憶部に記憶されている前記デフォルト設定情報を前記クライアントに送信する設定情報送信部とを備えることを特徴とする画像形成装置。
【発明の詳細な説明】
【技術分野】
【０００１】
本発明は、画像形成装置に接続されたクライアントに対するドライバソフトの設定方法及びインストール方法、並びに、クライアントに接続される画像形成装置に関するものである。
【背景技術】
【０００２】
通常、画像形成装置に接続されたクライアントに対して、当該画像形成装置を動作させるためのドライバソフトをインストールした場合、当該画像形成装置の印刷時の各機能について、最も一般的な設定内容がデフォルト設定される。
【０００３】
しかしながら、記録紙の両面に印刷を行なう両面印刷機能、又は、記録紙の１ページに対して複数ページ分の印刷を行なう集約印刷機能などの各種機能について、所望の設定内容をデフォルト設定したい場合がある。このような場合には、画像形成装置に接続されている各クライアントを操作することにより、デフォルト設定を変更する必要がある（例えば、特許文献１参照）。
【先行技術文献】
【特許文献】
【０００４】
【特許文献１】特開２００８−３０５２９８号公報
【発明の概要】
【発明が解決しようとする課題】
【０００５】
しかしながら、上記従来技術では、画像形成装置に接続されている複数のクライアントにおいて共通のデフォルト設定としたい場合に、複数のクライアントをそれぞれ操作してデフォルト設定を変更しなければならないという問題がある。
【０００６】
例えば、省資源化を考慮した場合には、記録紙又はトナーの使用量を減少させるための機能として、両面印刷機能又は集約印刷機能などの機能をデフォルト設定としたい場合があるが、このような場合にも上記問題が生じる。
【０００７】
本発明は上記実情に鑑みてなされたものであり、画像形成装置の印刷時の機能に関するドライバソフトのデフォルト設定を容易に行なうことができるドライバソフトの設定方法及びインストール方法、並びに、画像形成装置を提供することを目的とする。
【課題を解決するための手段】
【０００８】
本発明に係るドライバソフトの設定方法は、画像形成装置に接続されたクライアントに対して、前記画像形成装置を動作させるためのドライバソフトの設定を行なう方法であって、前記クライアントが、前記画像形成装置に記憶されているデフォルト設定情報を要求するための要求信号を前記画像形成装置に送信する要求信号送信ステップと、前記要求信号を受信した前記画像形成装置が、当該画像形成装置に記憶されているデフォルト設定情報を前記クライアントに送信する設定情報送信ステップと、前記クライアントが、受信した前記デフォルト設定情報に基づいて、前記画像形成装置の印刷時の機能に関する前記ドライバソフトのデフォルト設定を行なうデフォルト設定ステップとを含むことを特徴とする。
【０００９】
このような構成によれば、画像形成装置に記憶されているデフォルト設定情報をクライアントで受信し、当該デフォルト設定情報に基づいてクライアントにおけるデフォルト設定を行なうことができる。したがって、例えば複数のクライアントが共通の画像形成装置に接続されている場合であっても、各クライアントをそれぞれ操作してデフォルト設定を変更する必要がないため、画像形成装置の印刷時の機能に関するドライバソフトのデフォルト設定を容易に行なうことができる。
【００１０】
前記要求信号送信ステップは、前記ドライバソフトに備えられたモジュールにより定期的に行なわれることが好ましい。
【００１１】
このような構成によれば、画像形成装置にデフォルト設定情報を要求するための操作を手動で行なう必要がないため、ドライバソフトのデフォルト設定をさらに容易に行なうことができる。
【００１２】
前記デフォルト設定情報には、前記画像形成装置において使用する記録紙又はトナーの使用量を減少させるための機能に関する情報が含まれていてもよい。
【００１３】
このような構成によれば、画像形成装置において使用する記録紙又はトナーの使用量を減少させるための機能について、容易にデフォルト設定を行なうことができるため、省資源化を促進することができる。
【００１４】
前記デフォルト設定情報には、前記画像形成装置において記録紙の両面に印刷を行なう両面印刷機能の情報が含まれていてもよい。
【００１５】
このような構成によれば、両面印刷機能についてのデフォルト設定を容易に行うことができるため、省資源化をより効果的に促進することができる。
【００１６】
前記ドライバソフトの設定方法は、前記クライアントが、受信した前記デフォルト設定情報に前記両面印刷機能の情報が含まれるか否かを判定する両面印刷判定ステップと、前記クライアントが、前記画像形成装置において裏紙を記録紙として使用する設定がされているか否かを判定する裏紙設定判定ステップとを含み、前記クライアントが受信した前記デフォルト設定情報に前記両面印刷機能の情報が含まれ、かつ、前記画像形成装置において裏紙を記録紙として使用する設定がされている場合には、前記デフォルト設定ステップにおいて、前記両面印刷機能に関する前記ドライバソフトのデフォルト設定は行なわれないことが好ましい。
【００１７】
このような構成によれば、裏紙を記録紙として使用する設定がされている画像形成装置から、両面印刷機能の情報を含むデフォルト設定情報をクライアントが受信した場合には、両面印刷機能に関するドライバソフトのデフォルト設定が行なわれない。これにより、記録紙として裏紙が使用される場合に、当該裏紙の両面に印刷が行なわれる可能性を低減することができる。
【００１８】
本発明に係るドライバソフトのインストール方法は、画像形成装置に接続されたクライアントに対して、前記画像形成装置を動作させるためのドライバソフトをインストールする方法であって、前記クライアントが、前記画像形成装置の指定を受け付ける指定受付ステップと、前記クライアントが、指定された前記画像形成装置に記憶されているデフォルト設定情報を要求するための要求信号を前記画像形成装置に送信する要求信号送信ステップと、前記要求信号を受信した前記画像形成装置が、当該画像形成装置に記憶されているデフォルト設定情報を前記クライアントに送信する設定情報送信ステップと、前記クライアントが、受信した前記デフォルト設定情報に基づいて、前記画像形成装置の印刷時の機能に関する前記ドライバソフトのデフォルト設定を行なうデフォルト設定ステップとを含むことを特徴とする。
【００１９】
本発明に係る画像形成装置は、クライアントに接続される画像形成装置であって、前記画像形成装置を動作させるためのドライバソフトのデフォルト設定を前記クライアントにおいて行なうための情報として、前記画像形成装置の印刷時の機能に関するデフォルト設定情報を記憶する設定情報記憶部と、前記クライアントから、前記デフォルト設定情報を要求するための要求信号を受信した場合に、前記設定情報記憶部に記憶されている前記デフォルト設定情報を前記クライアントに送信する設定情報送信部とを備えることを特徴とする。
【図面の簡単な説明】
【００２０】
【図１】本発明の一実施形態に係る画像形成装置の一例である複合機の電気的構成を示したブロック図である。
【図２】クライアントの電気的構成を示したブロック図である。
【図３】ドライバソフトの設定を行なう際の態様の一例を示したタイムチャートである。
【図４】ドライバソフトの設定を行なう際におけるクライアントのＣＰＵによる処理の一例を示したフローチャートである。
【図５】ドライバソフトのインストール時にデフォルト設定を行なう際におけるクライアントのＣＰＵによる処理の一例を示したフローチャートである。
【発明を実施するための形態】
【００２１】
図１は、本発明の一実施形態に係る画像形成装置の一例である複合機１の電気的構成を示したブロック図である。本実施形態では、画像形成装置の一例として、当該画像形成装置が複合機１である場合について説明するが、例えばプリンタなどの他の装置により画像形成装置が構成されていてもよい。また、以下に説明する複合機１の具体的構成についても、その構成に限定されるものではない。
【００２２】
複合機１は、例えば画像読取部３、画像形成部４、ＣＰＵ３１、フラッシュＲＯＭ３２、ＳＤＲＡＭ３３、ＳＲＡＭ３４、モデム３５、ＮＣＵ３６、操作パネル３７、時計回路３８、統合チップセット３９、ＳＤＲＡＭ４０及びネットワークボード４１などを備えている。ＣＰＵ３１、フラッシュＲＯＭ３２、ＳＤＲＡＭ３３、ＳＲＡＭ３４、モデム３５、操作パネル３７、時計回路３８及び統合チップセット３９は、システムバス４２を介して互いにデータを伝送することができる。
【００２３】
画像読取部３及び画像形成部４は、統合チップセット３９に接続されている。画像読取部３は、例えばＣＣＤ(Charge Coupled Devices)を含む受光部と、複数のＬＥＤを含む発光部とを備え、当該発光部から原稿に向けて照射した光の反射光を受光部で受光することにより、その受光量に基づく画像データを得ることができる。画像形成部４は、例えばトナーを転写するための感光体ドラムを含む構成であり、画像読取部３で読み取った原稿の画像データなどに基づく画像を記録紙に形成する。
【００２４】
ＣＰＵ（Central Processing Unit）３１は、複合機１の動作を制御するための制御部として機能する。フラッシュＲＯＭ（Read-Only Memory）３２、ＳＤＲＡＭ（Synchronous Dynamic Random Access Memory）３３及びＳＲＡＭ（Static Random Access Memory）３４は、いずれもデータを記憶しておくための記憶部である。
【００２５】
モデム３５は、ＮＣＵ（Network Control Unit）３６を介して公衆電話網（ＰＳＴＮ：Public Switched Telephone Networks）４４に接続されている。ＮＣＵ３６は、公衆電話網４４に接続されている他の外部通信装置との間で信号を送受信することにより、通話及びＦＡＸ通信などを行なうことができる。
【００２６】
操作パネル３７は、ユーザが操作を行なうための操作部、及び、ユーザに対して表示を行うための表示部を構成しており、例えば操作キー３７１及びＬＣＤ（Liquid Crystal Display）３７２などを備えている。ユーザは、操作キー３７１を操作することにより、複合機１の動作の設定及び指示などを行なうことができる。ＬＣＤ３７２には、複合機１の動作状況及び設定内容などを表示することができる。ただし、ＬＣＤ３７２がタッチパネルを含む構成であれば、ＬＣＤ３７２に対する操作により、複合機１の動作の設定及び指示などを行なうこともできる。
【００２７】
時計回路３８は、計時を行なうためのタイマ部であり、例えばＲＴＣ（Real Time Clock）などにより構成することができる。統合チップセット３９は、複数の集積回路を組み合わせることにより構成されている。ＳＤＲＡＭ（Synchronous Dynamic Random Access Memory）４０は、統合チップセット３９を介してデータが入出力される記憶部である。
【００２８】
ネットワークボード４１は、ローカルバス４３を介して統合チップセット３９との間でデータを伝送することができる。ネットワークボード４１はＬＡＮ（Local Area Network）４５に接続されており、当該ネットワークボード４１を介して、ＬＡＮ４５に接続されている複数のクライアント１００との間でネットワーク通信を行なうことができる。
【００２９】
本実施形態では、複合機１の印刷時の機能に関するデフォルト設定情報が、設定情報記憶部として機能するＳＤＲＡＭ３３に記憶されている。上記デフォルト設定情報は、複合機１を動作させるためのドライバソフトの設定をクライアント１００において行なう際に用いられる情報であり、当該デフォルト設定情報に対応する設定内容をデフォルトとして設定することができる。
【００３０】
デフォルト設定情報としては、例えば、記録紙の両面に印刷を行なう両面印刷機能、又は、記録紙の１ページに対して複数ページ分の印刷を行なう集約印刷機能などに関する情報などを例示することができる。デフォルト設定情報には、複合機１において使用する記録紙又はトナーの使用量を減少させるための機能に関する情報が含まれることが好ましい。当該情報には、上記両面印刷機能又は集約印刷機能に関する情報以外に、例えば印刷時のトナー量を減少させる機能に関する情報など、他の各種情報が含まれていてもよい。
【００３１】
複合機１は、クライアント１００からＬＡＮ４５を介して、デフォルト設定情報を要求するための要求信号を受信した場合に、ＳＤＲＡＭ３３に記憶されているデフォルト設定情報を当該クライアント１００に送信する。このとき、ＣＰＵ３１は、デフォルト設定情報をクライアント１００に送信するための設定情報送信部として機能する。ただし、要求信号及びデフォルト設定情報の送受信は、ＬＡＮ４５を介して行なわれるような構成に限らず、他の通信手段を用いて行なわれるような構成であってもよい。
【００３２】
図２は、クライアント１００の電気的構成を示したブロック図である。本実施形態におけるクライアント１００は、例えばパーソナルコンピュータにより構成されており、ＣＰＵ１０１、ハードディスク１０２、ＳＤＲＡＭ１０３、光学ドライブ１０４、操作部１０５、統合チップセット１０６及びＮＩＣ（Network Interface Card）１０７などを含む。
【００３３】
ＣＰＵ１０１は、クライアント１００の動作を制御するための制御部として機能する。ハードディスク１０２及びＳＤＲＡＭ１０３は、いずれもデータを記憶しておくための記憶部である。ＳＤＲＡＭ１０３には、例えばＤＩＭＭ（Dual Inline Memory Module）が採用されていてもよい。
【００３４】
光学ドライブ１０４は、ＣＤ−ＲＯＭなどの記憶媒体から光学的にデータを読み込むための装置であり、例えば複合機１のドライバソフトをクライアント１００にインストールする際には、当該光学ドライブ１０４において記憶媒体からドライバソフトを読み込むことができる。ただし、複合機１のドライバソフトのインストールは、光学ドライブ１０４を用いて行なわれるような構成に限らず、例えばＬＡＮ４５を介したネットワーク通信により、ドライバソフトをクライアント１００に読み込むような構成であってもよい。
【００３５】
操作部１０５は、ユーザが操作を行なうためのものであり、例えばキーボード又はマウスを含むような構成であってもよい。統合チップセット１０６は、複数の集積回路を組み合わせることにより構成されている。統合チップセット１０６には、上述のＣＰＵ１０１、ハードディスク１０２、ＳＤＲＡＭ１０３、光学ドライブ１０４及び操作部１０５が接続されている。統合チップセット１０６とハードディスク１０２との接続には、ＳＡＴＡ（Serial ATA）が採用されることが好ましい。
【００３６】
統合チップセット１０６は、ＮＩＣ１０７を介してＬＡＮ４５に接続されている。これにより、クライアント１００がＬＡＮ４５を介して複合機１との間で通信可能となる。ＬＡＮ４５を介して複合機１から受信したデフォルト設定情報は、ハードディスク１０２に記憶されるようになっている。
【００３７】
クライアント１００にインストールされた複合機１のドライバソフトは、ハードディスク１０２に記憶され、印刷時にＳＤＲＡＭ１０３に読み出される。このとき、ハードディスク１０２に記憶されているデフォルト設定情報もＳＤＲＡＭ１０３に読み出されるようになっている。
【００３８】
本実施形態では、クライアント１００にインストールされるドライバソフトに、ＬＡＮ４５に接続されている機器から情報を自動的に取得するためのモジュール（問い合わせモジュール）が備えられている。当該モジュールは、デフォルト設定情報を要求する要求信号を複合機１に定期的に送信するためのものであり、例えばＳＮＭＰ（Simple Network Management Protocol）などを用いて構成することができる。
【００３９】
図３は、ドライバソフトの設定を行なう際の態様の一例を示したタイムチャートである。複合機１に接続されたクライアント１００に対してドライバソフトの設定を行なう際には、まず、クライアント１００が、複合機１に記憶されているデフォルト設定情報を要求するための要求信号を複合機１に送信する（要求信号送信ステップ）。
【００４０】
要求信号を受信した複合機１は、当該複合機１に記憶されているデフォルト設定情報をクライアント１００に送信する（設定情報送信ステップ）。デフォルト設定情報を受信したクライアント１００は、当該デフォルト設定情報に基づいて、複合機１の印刷時の機能に関するドライバソフトのデフォルト設定を行なう（デフォルト設定ステップ）。
【００４１】
その後、クライアント１００の操作部１０５を用いて、印刷を行なうための操作が行なわれた場合には、クライアント１００においてドライバソフトがデフォルト設定情報とともに読み出される。そして、ユーザが印刷を指示するための操作を行なった場合には、クライアント１００から複合機１に印刷の対象となるデータが送信され、当該データを受信した複合機１が印刷動作を開始する。なお、クライアント１００を操作するユーザは、デフォルト設定以外の設定内容に変更して印刷指示を行なうことも可能である。
【００４２】
本実施形態では、複合機１に記憶されているデフォルト設定情報をクライアント１００で受信し、当該デフォルト設定情報に基づいてクライアント１００におけるデフォルト設定を行なうことができる。したがって、例えば複数のクライアント１００が共通の複合機１に接続されている場合であっても、各クライアント１００をそれぞれ操作してデフォルト設定を変更する必要がないため、複合機１の印刷時の機能に関するドライバソフトのデフォルト設定を容易に行なうことができる。
【００４３】
また、ドライバソフトに備えられたモジュールによりデフォルト設定情報の要求が定期的に行なわれるため、複合機１にデフォルト設定情報を要求するための操作を手動で行なう必要がない。したがって、ドライバソフトのデフォルト設定をさらに容易に行なうことができる。
【００４４】
本実施形態のように、複合機１において使用する記録紙又はトナーの使用量を減少させるための機能に関する情報がデフォルト設定情報に含まれていれば、省資源化を促進することができる。特に、両面印刷機能の情報がデフォルト設定情報に含まれていれば、両面印刷機能についてのデフォルト設定を容易に行うことができるため、省資源化をより効果的に促進することができる。
【００４５】
図４は、ドライバソフトの設定を行なう際におけるクライアント１００のＣＰＵ１０１による処理の一例を示したフローチャートである。ドライバソフトの設定を行なう際、まず、複合機１に記憶されているデフォルト設定情報を要求するための要求信号が複合機１に送信される（ステップＳ１０１）。
【００４６】
その後、複合機１からデフォルト設定情報を受信した場合には（ステップＳ１０２）、当該デフォルト設定情報に省資源化に関する情報が含まれているか否かが判定される（ステップＳ１０３）。上記省資源化に関する情報とは、例えば記録紙又はトナーの使用量を減少させるための機能に関する情報である。デフォルト設定情報に省資源化に関する情報が含まれていない場合には（ステップＳ１０３でＮｏ）、当該デフォルト設定情報を用いたデフォルト設定は行なわれずに処理が終了する。
【００４７】
デフォルト設定情報に省資源化に関する情報が含まれている場合には（ステップＳ１０３でＹｅｓ）、そのデフォルト設定が強制的に行なわれる設定であるか否かが判定される（ステップＳ１０４）。このように、本実施形態では、複合機１から受信したデフォルト設定情報に基づいてデフォルト設定を強制的に行なうか否かを予め設定しておくことができるようになっている。デフォルト設定を強制的に行うと設定されている場合には（ステップＳ１０４でＹｅｓ）、その旨の表示が行なわれた後（ステップＳ１０５）、ハードディスク１０２に記憶されているデフォルト設定情報が、受信したデフォルト設定情報に書き換えられる（ステップＳ１０６）。
【００４８】
一方、デフォルト設定を強制的に行うと設定されていない場合には（ステップＳ１０４でＮｏ）、受信したデフォルト設定情報に両面印刷機能の情報が含まれるか否かが判定される（ステップＳ１０７：両面印刷判定ステップ）。その結果、受信したデフォルト設定情報に両面印刷機能の情報が含まれている場合には（ステップＳ１０７でＹｅｓ）、複合機１において裏紙を記録紙として使用する設定がされているか否かが判定される（ステップＳ１０８：裏紙設定判定ステップ）。当該判定は、例えば裏紙（片面印刷済み記録紙）を収容するカセットが複合機１において設定されているか否かの情報を、デフォルト設定情報とともに又は別個に受信することにより、当該情報に基づいて行なうことができる。
【００４９】
デフォルト設定情報に両面印刷機能の情報が含まれていない場合（ステップＳ１０７でＮｏ）、及び、複合機１に裏紙が設定されていない場合（ステップＳ１０８でＮｏ）には、受信したデフォルト設定情報に書き換えられる（ステップＳ１０６）。これに対して、デフォルト設定情報に両面印刷機能の情報が含まれ（ステップＳ１０７でＹｅｓ）、かつ、複合機１に裏紙が設定されている場合には（ステップＳ１０８でＹｅｓ）、当該デフォルト設定情報を用いたデフォルト設定は行なわれずに処理が終了する。
【００５０】
本実施形態では、裏紙を記録紙として使用する設定がされている複合機１から、両面印刷機能の情報を含むデフォルト設定情報をクライアント１００が受信した場合には、両面印刷機能に関するドライバソフトのデフォルト設定が行なわれない。これにより、記録紙として裏紙が使用される場合に、当該裏紙の両面に印刷が行なわれる可能性を低減することができる。
【００５１】
上記のようなデフォルト設定は、ドライバソフトのインストール後に限らず、インストールの際に行なうことも可能である。すなわち、インストール時に複合機１を指定し、当該複合機１とクライアント１００との間でデータを送受信してデフォルト設定を行なうことにより、ドライバソフトのインストールを行なうことができる。
【００５２】
図５は、ドライバソフトのインストール時にデフォルト設定を行なう際におけるクライアント１００のＣＰＵ１０１による処理の一例を示したフローチャートである。ドライバソフトがクライアント１００に読み込まれた場合、まず、インストールを開始するか否かをユーザに確認するための画面が表示される（ステップＳ２０１）。このとき、インストールを開始しない旨の操作が行なわれた場合には（ステップＳ２０２でＮｏ）、ドライバソフトのインストールは行なわれずに処理が終了する。
【００５３】
インストールを開始する旨の操作が行なわれた場合には（ステップＳ２０２でＹｅｓ）、インストールを行なうための基本画面が表示された後（ステップＳ２０３）、複合機１がＬＡＮ４５を介してクライアント１００に接続されているか否かが判定される（ステップＳ２０４）。例えば、ＬＡＮ接続（ネットワーク接続）である旨の操作がユーザにより行なわれるか否かに基づいて、上記判定を行なうことができる。
【００５４】
ＬＡＮ接続である場合には（ステップＳ２０４でＹｅｓ）、ＬＡＮ４５を介してクライアント１００に接続されている複合機１を指定するための画面が表示され（ステップＳ２０５）、当該画面に従って、ユーザが複合機１のＩＰアドレスを入力する（ステップＳ２０６）。そして、ＩＰアドレスの入力が完了した場合には（ステップＳ２０７でＹｅｓ）、図４と同様のデフォルト設定処理が行なわれ（ステップＳ２０８）、ドライバソフトのインストールが完了する。
【００５５】
上記ステップＳ２０６及びＳ２０７は、クライアント１００が複合機１の指定を受け付ける指定受付ステップを構成している。当該指定受付ステップは、上記のように複合機１の識別情報（例えば、ＩＰアドレス）を直接入力することにより行なわれるような構成に限らず、例えばＬＡＮ４５に接続されている複合機１をクライアント１００が検索することにより行なわれるような構成などであってもよい。
【００５６】
ＬＡＮ接続でない場合（ステップＳ２０４でＮｏ）、すなわちＵＳＢ（Universal Serial Bus）などを介して複合機１とクライアント１００とが接続されている場合には、上記指定受付ステップが行なわれることなく、デフォルト設定処理が行なわれる（ステップＳ２０８）。
【符号の説明】
【００５７】
１    複合機
３    画像読取部
４    画像形成部
３１    ＣＰＵ
３３    ＳＤＲＡＭ
４１    ネットワークボード
４５    ＬＡＮ
１００    クライアント
１０１    ＣＰＵ
１０２    ハードディスク
１０３    ＳＤＲＡＭ
１０４    光学ドライブ
１０５    操作部
１０６    統合チップセット
１０７    ＮＩＣ
【図１】
2012174040.tif 000003
【図２】
2012174040.tif 000004
【図３】
2012174040.tif 000005
【図４】
2012174040.tif 000006
【図５】
2012174040.tif 000007